(57)【特許請求の範囲】
【請求項１】
リード線を接続するプリント回路板を保持するプリント回路板保持フレームにおいて、
前記プリント回路板の一辺に沿って前記リード線を保持するリード線保持部材と、
該リード線保持部材と蝶番の体で開閉され、前記リード線を覆うリード線被覆部材と
を備えたことを特徴とするプリント回路板保持フレーム。
【請求項２】
プリント回路板の残りの３辺を固定して保持する保持枠、リード線保持部及びリード線被覆部材とを一体成形してある請求項１記載のプリント回路板保持フレーム。
【請求項３】
リード線被覆部材にリード線を通す貫通部を設けた請求項１又は２記載のプリント回路板保持フレーム。
【請求項４】
リード線被覆部材にリード線を掴持するリード線掴持具を備えた請求項１乃至３のいずれかに記載のプリント回路板保持フレーム。
【請求項５】
リード線被覆部材及びリード線掴持具を一体成形してある請求項４記載のプリント回路板保持フレーム。
【発明の詳細な説明】
【０００１】
【発明の属する技術分野】
本発明はプリント回路板を保持するプリント回路板保持フレームに関する。
【０００２】
【従来の技術】
図９は従来のプリント回路板保持フレームの模式図である。図において１はプリント回路板保持フレームであって、矩形状のプリント回路板２を、そのプリント回路板保持フレーム１内に嵌め込んで挟着又はねじ止めで保持している。プリント回路板２上に、例えば電源線2aがプリント配線され、通電した場合、高温となる抵抗部品2bが搭載され、接栓2cを取り付ける図示しない接栓座がプリント回路板の隅に設けられている。
【０００３】
リード線３はプリント回路板保持フレーム１上に固着された複数のクランパ４で１束となして括り止めされ、プリント回路板保持フレーム１上に添装され、リード線３の接栓2cが接栓座に取り付けられている。クランパ４はその大きさが数種あって、１束のリード線３の太さにより使い分けられる。リード線の数が少ない場合、小型のクランパ４が多数使用され、リード線の数が多い場合、大型のクランパ４がリード線の数に合わせて使用される。
添装されたリード線３を接栓2cの所よりプリント回路板保持フレーム１から離れる所までのあらゆる所において、あらゆる方向へ 250ｇの力で引張ることにより安全性のチェックが行われる。
【０００４】
【発明が解決しようとする課題】
従来のプリント回路板保持フレームは以上のように構成されているので、１束のリード線の本数が少なく、クランパの種類がリード線の束に比べ大きいものであった場合、リード線にたるみを生じ、プリント回路板上の配線, 部品等に接触する可能性があり、多数のクランパを必要とするにも拘らず、確実な配線が困難であった。またリード線の本数が多い場合、クランパで括り止めされている故、リード線１本毎の点検が面倒であるという問題点があった。
【０００５】
本発明はこのような問題点を解決するためになされたものであって、リード線を通す経路を筒体を２つ割りにした形状のもので構成し、それらを開閉自在とした構成とすることによりリード線をプリント回路板から遮蔽してプリント回路板上の配線、部品等に接触させず、また該経路を開いてリード線を容易に点検できるプリント回路板保持フレームを提供することを目的とする。
【０００６】
【課題を解決するための手段】
第１発明に係るプリント回路板保持フレームは、リード線を接続するプリント回路板を保持するプリント回路板保持フレームにおいて、前記プリント回路板の一辺に沿って前記リード線を保持するリード線保持部材と、該リード線保持部材と蝶番の体で開閉され、前記リード線を覆うリード線被覆部材とを備えたことを特徴とする。
【０００７】
第２発明に係るプリント回路板保持フレームは、プリント回路板の残りの３辺を固定して保持する保持枠、リード線保持部及びリード線被覆部材とを一体成形してあることを特徴とする。
【０００８】
第３発明に係るプリント回路板保持フレームは、リード線被覆部材にリード線を通す貫通部を設けたことを特徴とする。
【０００９】
第４発明に係るプリント回路板保持フレームは、リード線被覆部材にリード線を掴持するリード線掴持具を備えたことを特徴とする。
【００１０】
第５発明に係るプリント回路板保持フレームは、リード線被覆部材及びリード線掴持具を一体成形してあることを特徴とする。
【００１１】
第１発明に係るプリント回路板保持フレームでは、リード線は、リード線保持部材及びリード線被覆部材で形成された経路を通ってプリント回路板に導かれる。それ故、リード線はプリント回路板上の配線、部品等から隔離して配線される。またリード線被覆部材を操作して経路を開くことにより、その経路を通るリード線を点検できる。
【００１２】
第２発明に係るプリント回路板保持フレームでは、リード線保持部材，リード線被覆部材及び保持部材が同種の可撓性を有する合成樹脂材料で一体成形される。これに伴い蝶着部を一体成形でき、構造の簡略化、組立不要などの利点が得られる。
【００１３】
第３発明に係るプリント回路板保持フレームでは、リード線はリード線保持部材及びリード線被覆部材で形成された経路及びリード線被覆部材に設けた貫通部を経由してプリント回路板に接続される。
【００１４】
第４発明に係るプリント回路板保持フレームでは、一部のリード線はリード線保持部材及びリード線被覆部材で形成された経路を通ってプリント回路板に接続されるとともに、それらのリード線保持部材とリード線被覆部材を閉じることによりそのリード線はリード線掴持具で掴持された上プリント回路板に接続される。
【００１５】
第５発明に係るプリント回路板保持フレームでは、リード線被覆部材及びリード線掴持具はプリント回路板を保持する保持枠と同種の可撓性を有する合成樹脂材料で一体成形される。従ってリード線を掴持するための他の器具を使用しなくてよい。
【００１６】
【発明の実施の形態】
以下本発明をその実施の形態を示す図面に基づき具体的に説明する。
第１の実施の形態
図１，図２は第１の実施の形態に係るプリント回路板保持フレームを略示する斜視図であり、図１はリード線挿通経路の閉止状態を示し、また、図２はその開放状態を一部切欠して示している。プリント回路板保持フレーム１は矩形状のプリント回路板２の１長辺及び２短辺の計３辺を挟着又はねじ止めで保持するコの字状の保持枠1a並びにリード線３を保持して通す経路を形成すべくその主要部の断面がＬ字状であるリード線保持部材 (以下保持部材という) 1b及びその保持部材1bを覆うべくその主要部の断面が逆Ｌ字状であるリード線被覆部材 (以下被覆部材という）1cを備えている。保持部材1b及び被覆部材1cは相互に組合わされ、中空角柱状をなし、リード線３を保持して通す経路を形成している。
【００１７】
保持部材1bはプリント回路板２の１長辺に沿うべき側壁部1b1 と、リード線３を受けるために外方へ張り出している底壁部1b2 とを備える。保持枠1aの両端は厚みを薄くして底壁部1b2 の端まで延在してあり、図３に拡大して示すようにその端部近くにリード線３を通すための切欠部1dを設けている。また切欠部1dより保持枠1aの本体に近い部分には更に厚みを薄くして係合凹所1eを形成してある。底壁部1b2 の長手方向３ヵ所 (両端近傍及び中央部) には適宜厚みの門形の位置決め部材1h,1h,1hが形成してある。位置決め部材1h,1h,1hは側壁部1b1 との間にリード線３を挟むための適宜寸法を隔てて、各２つの門脚部が保持部材1bの長手方向に位置するように配置してある。
【００１８】
被覆部材1cはその長手方向の２ヵ所において蝶着部材1f,1f により保持部材1bと連結されている。蝶着部材1f,1f は被覆部材1cを外方又は下方へ回動させるのみならず、保持部材1bから少し離隔することを可能とするだけの長さを有している。被覆部材1cは前記底壁部1b2 に対向する上部壁1c2 及び側壁部1b1 に対向する側壁部1c1 を備えている。図４に示すように側壁部1c1 の両端部には前記係合凹所1eに係合する係合部材1gが立設されている。
【００１９】
係合部材1gは係合凹所1e相当の大きさの楔状部を先端に有し、根元側が太く、被覆部材1cの端部側に張出している。係合部材1gを係合凹所から離脱させるための曲げ代として切欠部1lが上部壁1e2 との間に形成してある。また係合部材1gの側壁部1c1 の下側には切欠部1dに対応するリード線挿通部1kを確保してある。側壁部1c1 の位置決め部材1h,1h,1hに各対応する位置にはその門内に嵌合する直方体状の固定部材1i,1i,1iが設けてあり、係合部材1gが係合凹所1eに係入して保持部材1bと被覆部材1cとを閉止固定するのを補助するように固定部材1i,1i,1iが位置決め部材1h,1h,1hの門内に嵌合して両者を固定する。このとき固定部材1iはリード線３と保持部材1bにある側壁部1b1 に押しつけ、あたかもリード線を固定するごとくの作用もある。以上説明したこのフレームは蝶着部材1f及び係合部材1g等の作用を確保できる可撓性を有する、つまりたわみ性のある合成樹脂で一体成型される。
【００２０】
プリント回路板２は、例えばその上面に電源線2aがプリント配線され、通電した場合高温となる抵抗部品2bが実装され、そして接栓2cを取り付ける図示しない接栓座がプリント回路板２の１隅の近傍に設けられている。
【００２１】
外部から配線されるリード線３は保持部材1bの図１において左側の切欠部1d、保持部材1b、被覆部材1cからなる経路及び保持部材1bの図１において右側の切欠部1dを経由し、接栓2c及びその接栓座を介してプリント回路板２に導かれる。保持部材1bにおいてはリード線３は位置決め部材1h,1h,1hと側壁部1b1 との間に収められる。係合部材1gを被覆部材1cの中心方向に押圧して係合部材1gを切込部1eから離脱させ、被覆部材1cを矢符で示すようにプリント回路板２の外側へ引くことにより被覆部材1cは保持部材1bから離れ、リード線３を通す経路が開かれる。これによりリード線３の点検が可能となる。
なお図２はリード線３を１本だけ示したが複数本を通し得ることは勿論である。
【００２２】
第２の実施の形態
図５, 図６は第２の実施の形態に係るプリント回路板保持フレームを略示する斜視図である。図５は閉止状態を示し、また、図６は開放状態を一部切欠して示している。図においてプリント回路板２は例えばその上面に電源線2aがプリント配線され、また接栓2cを取り付ける図示しない接栓座が電源線2aから離れ、プリント回路板２の長手方向の中間で被覆部材1cの近傍に設けられている。被覆部材1cの上部壁1c2 において被覆部材1cの中間で接栓2cの接栓座の近傍に切欠部1mを設けている。その他、第１の実施の形態と対応する部分には同符号を付して説明を省略する。
【００２３】
外部から配線されるリード線３は保持部材1bの図５左側の切欠部1d、保持部材1bと被覆部材1cとからなる経路及び被覆部材1cの切欠部1mを経由し、接栓2c及びその接栓座を介してプリント回路板２に導かれる。
【００２４】
第３の実施の形態
図７, 図８は第３の実施の形態に係るプリント回路板保持フレームを略示する斜視図である。図７は閉止状態を示し、また、図８は開放状態を一部切欠して示している。図においてプリント回路板２は例えばその上面に電源線2aがプリント配線され、その配線区域内にあってプリント回路板２の長手方向の中間で被覆部材1cの近傍に接栓2dを取り付ける図示しない接栓座が設けられている。また接栓2cを取り付ける図示しない接栓座が電源線2aから離れ、プリント回路板２の長手方向の中間で被覆部材1cの近傍に設けられている。
【００２５】
被覆部材1cの上部壁1c2 の外面には長手方向中央部に上部を狭くしたＵ状のリード線掴持具1nを一体成形して設けている。その他第２の実施の形態と同様の部分には同符号を付して説明を省略する。
外部から配線される一部のリード線3aはリード線掴持具1nで掴持され、接栓2d及びその接栓座を介してプリント回路板２に導かれる。リード線掴持具1nはリード線3aを上部から挿入した後捩じられる。他のリード線３は保持部材1bの図７において左側の切欠部1d、保持部材1bと被覆部材1cとからなる経路及び被覆部材1cの切欠部1mを経由し、接栓2c及びその接栓座を介してプリント回路板２に導かれる。
【００２６】
【発明の効果】
第１発明にあっては、リード線はリード線保持部材及びリード線被覆部材からなる経路を経由してプリント回路板に接続される。従って専用のクランパを使用することなく、リード線をプリント配線や部品から隔離して配線することができる故、リード線がプリント回路板上の実装配線, 部品等に接触することがなく、またリード線被覆部材をリード線保持部材から離すことによりリード線の点検が容易にできる優れた効果を奏する。
【００２７】
第２発明にあっては、組立を要せず、低コストで作成できる。
【００２８】
第３発明にあっては、リード線はリード線保持部材及びリード線被覆部材からなる経路及び貫通部を経由してプリント回路板に接続される故、リード線をプリント配線や実装部品から隔離し、更に貫通部からプリント回路板２の中間でその周辺部に設けた接栓座迄の配線距離を最短距離となすことができ、安全性の高い配線が可能となる優れた効果を奏する。
【００２９】
第４発明にあっては、リード線はリード線掴持具で掴持されてプリント回路板に接続される故、リード線保持部材及びリード線被覆部材からなる経路を経由する配線の外に該経路を経由しない配線が可能であり、配線設計上自由度が大きい。
【００３０】
第５発明にあっては、プリント回路板保持フレームと同種の可撓性を有する合成樹脂材料でリード線掴持具を成形することにより、リード線を掴持する他の器具を使用せずともよい。
【図面の簡単な説明】
【図１】  第１の実施の形態に係るプリント回路板保持フレームの斜視図である。
【図２】  第１の実施の形態に係るプリント回路板保持フレームの斜視図である。
【図３】  図１に示すリード線保持部材の要部拡大図である。
【図４】  図１に示すリード線被覆部材の要部拡大図である。
【図５】  第２の実施の形態に係るプリント回路板保持フレームの斜視図である。
【図６】  第２の実施の形態に係るプリント回路板保持フレームの斜視図である。
【図７】  第３の実施の形態に係るプリント回路板保持フレームの斜視図である。
【図８】  第３の実施の形態に係るプリント回路板保持フレームの斜視図である。
【図９】  従来のプリント回路板保持フレームの斜視図である。
【符号の説明】
１  プリント回路板保持フレーム、1a  保持枠、1b  リード線保持部材、
1c  リード線被覆部材、1g  係合部材、1m  切欠部、1n  リード線掴持具、
２  プリント回路板、2c,2d   接栓、３, 3a  リード線。
【図１】
0003695796.tif 000002
【図２】
0003695796.tif 000003
【図３】
0003695796.tif 000004
【図４】
0003695796.tif 000005
【図５】
0003695796.tif 000006
【図６】
0003695796.tif 000007
【図７】
0003695796.tif 000008
【図８】
0003695796.tif 000009
【図９】
0003695796.tif 000010